(57)【要約】【課題】適用可能な作業の範囲を拡げることができる農業用マルチコプターを提供すること。【解決手段】農業用マルチコプターは、本体と、前記本体に取り付けられた複数本のアームと、前記アームに取り付けられ且つ揚力を発生させるロータと、前記本体の下部に装着され且つ農業に関する作業を行う作業装置と、を備えており、前記作業装置は、前記本体に対して着脱可能に装着されるフレームと、前記フレームに対して着脱可能に装着される作業具とを有している。【選択図】図３
2018030560.tif 000002
【特許請求の範囲】
【請求項１】
本体と、
前記本体に取り付けられた複数本のアームと、
前記アームに取り付けられ且つ揚力を発生させるロータと、
前記本体の下部に装着され且つ農業に関する作業を行う作業装置と、を備え、
前記作業装置は、前記本体に対して着脱可能に装着されるフレームと、前記フレームに対して着脱可能に装着される作業具とを有している農業用マルチコプター。
【請求項２】
前記本体は、前記フレーム側に設けられた第１連結部を有し、
前記フレームは、前記本体側に設けられた第２連結部を有し、
前記第１連結部と前記第２連結部は、着脱可能な連結部材により連結されている請求項１に記載の農業用マルチコプター。
【請求項３】
前記フレームは、前記第２連結部と反対側に設けられ且つ前記作業具がスライド移動可能に装着される装着部を有している請求項２に記載の農業用マルチコプター。
【請求項４】
前記作業具は、前記スライド移動時に手指を引っ掛けることができる凹部を有している請求項３に記載の農業用マルチコプター。
【請求項５】
前記作業具は、農場に散布される散布物が収容されるタンクであり、
前記作業装置は、前記フレームに取り付けられ且つ前記タンク内の散布物を吸引するポンプを有している請求項１〜４のいずれか１項に記載の農業用マルチコプター。
【請求項６】
前記タンクは、前記スライド移動方向の長さが当該スライド移動方向と直交する方向の長さよりも長く形成されており、且つ前記スライド移行方向の端部側に前記散布物を供給する供給口を有している請求項５に記載の農業用マルチコプター。
【請求項７】
前記ポンプは、前記スライド移動方向と反対方向の端部側において前記フレームに取り付けられている請求項６に記載の農業用マルチコプター。
【請求項８】
前記複数本のアームは、上面視において、前記本体から互いに異なる方向に放射状に延びる第１位置と、前記本体から離れる一方向である第１方向と当該第１方向と反対方向である第２方向に延びる第２位置とに変更可能であり、
前記作業具のスライド移動方向は、前記第１方向及び前記第２方向に直交する方向である請求項３に記載の農業用マルチコプター。
【請求項９】
前記作業装置は、前記ポンプから送給される散布物を散布するノズルを有し、
前記フレームには、当該フレームを支持する脚部が設けられており、
前記ノズルは、前記脚部に対して上方及び下方に揺動可能に取り付けられている請求項５〜８のいずれか１項に記載の農業用マルチコプター。
【発明の詳細な説明】
【技術分野】
【０００１】
本発明は、農業用マルチコプターに関する。
【背景技術】
【０００２】
近年、複数の回転翼によって無人で飛行可能なマルチコプターの普及が進んでおり、マルチコプターを農業用に使用する試みがなされている。
特許文献１には、農業タンクや肥料タンクを積載することが可能なマルチコプターが開示されている。このマルチコプターは、機枠本体と、機枠本体から水平放射状に伸びた複数のアームと、アームの先端に設けられたロータとを備え、機枠本体の下面にタンクを着脱可能に保持する保持機構を有している。
【先行技術文献】
【特許文献】
【０００３】
【特許文献１】実用新案登録第３２０４５０５号公報
【発明の概要】
【発明が解決しようとする課題】
【０００４】
特許文献１に開示されたマルチコプターは、機枠本体に設けられた保持機構によりタンクを着脱することは可能であるが、農業に使用される多種多様な物品を着脱することは難しく、適用可能な作業の範囲が限定されてしまう。
本発明は、このような従来技術の課題を解決すべくなされたものであって、適用可能な作業の範囲を拡げることができる農業用マルチコプターを提供するものである。
【課題を解決するための手段】
【０００５】
本発明の一態様に係る農業用マルチコプターは、本体と、前記本体に取り付けられた複数本のアームと、前記アームに取り付けられ且つ揚力を発生させるロータと、前記本体の下部に装着され且つ農業に関する作業を行う作業装置と、を備え、前記作業装置は、前記本体に対して着脱可能に装着されるフレームと、前記フレームに対して着脱可能に装着される作業具とを有している。
【発明の効果】
【０００６】
上記農業用マルチコプターによれば、作業装置が、本体に対して着脱可能に装着されるフレームと、フレームに対して着脱可能に装着される作業具とを有していることから、作業の内容に応じて、作業装置を交換することができることに加えて、作業具を交換することも可能である。そのため、本体に対して様々な作業装置や作業具を装着することが可能となり、適用可能な作業の範囲を拡げることができる。
【図面の簡単な説明】
【０００７】
【図１】農業用マルチコプターの斜視図である。
【図２】農業用マルチコプターの一部省略上面図である。
【図３】農業用マルチコプターの一部省略正面図である。
【図４】図３の要部拡大図である。
【図５】本体、フレーム及び作業具の側面図である。
【図６】本体を下方から見た斜視図である。
【図７】フレームを上方から見た斜視図である。
【図８】フレームの分解斜視図である。
【図９】容器及び装着体を上方から見た斜視図である。
【図１０】図９のＡ−Ａ断面図である。
【図１１】図９のＢ−Ｂ断面図である。
【図１２】容器の上面図である。
【図１３】図９のＣ−Ｃ断面図である。
【図１４】図１３のＤ−Ｄ断面図である。
【図１５】装着体を容器から分離した斜視図である。
【図１６】容器をフレームに装着した状態を示す上面図である。
【図１７】容器をフレームから離脱させる途中の状態を示す上面図である。
【図１８】フレームを下方から見た斜視図である。
【発明を実施するための形態】
【０００８】
以下、本発明の実施の形態を図面に基づいて説明する。
図１は、本発明の一実施形態に係る農業用マルチコプター（以下、単に「マルチコプター」という）を示す斜視図である。
マルチコプター１は、複数の回転翼により無人で飛行可能な回転翼機であって、例えば、ドローンと呼ばれる飛行体である。マルチコプター１は、無線又は有線通信による遠隔操作により飛行するものであってもよいし、遠隔装置に依らずに自律制御により飛行するものであってもよい。
【０００９】
マルチコプター１は、機体２と作業装置１０とを備えている。
先ず、機体２について説明する。図１、図２に示すように、機体２は、本体３と、アーム４と、ロータ５とを有している。
図３〜図６に示すように、本体３は、第１プレート６、第２プレート７、接続部８、第１連結部９を有している。
【００１０】
第１プレート６及び第２プレート７は、平板状であって、互いに間隔をあけて且つ平行に配置されている。第１プレート６は、本体３の上部に位置している。第２プレート７は、第１プレート６の下方に配置されており、本体３の下部に位置している。
図２に示すように、第１プレート６は、上面視において、第１縁部６１と、第２縁部６２と、第３縁部６３と、第４縁部６４とを有している。第１縁部６１は、上面視において一方側に位置している。第２縁部６２は、上面視において、第１縁部６１と反対側（他方側）に位置している。第３縁部６３は、第１縁部６１と第２縁部６２とを繋ぐ直線に対して直交する方向（前記一方側と前記他方側に直交する方向）の一端側に位置している。第４縁部６４は、第３縁部６３と反対側に位置している。
【００１１】
以下、説明の便宜上、第１縁部６１が位置する方向を前方、第２縁部６２が位置する方向を後方、第３縁部６３が位置する方向を左方、第４縁部６４が位置する方向を右方という。また、第１縁部６１側から第２縁部６２側或いは第２縁部６２側から第１縁部６１側に向かう方向を前後方向といい、当該前後方向に直交する方向を幅方向という。
第１プレート６は、アーム４の基端部を上方から支持する支持部（以下、「上支持部」という）を有している。上支持部の数は、アーム４の本数に応じて設定される。本実施形態の場合、アーム４の本数が６本であるため、６つの上支持部（第１上支持部１１〜第６上支持部１６）が設けられている。
【００１２】
第１上支持部１１は、第１縁部６１と第３縁部６３とのコーナー（前左部）に設けられている。第２上支持部１２は、第１縁部６１と第４縁部６４とのコーナー（前右部）に設けられている。第３上支持部１３は、第２縁部６２と第３縁部６３とのコーナー（後左部）に設けられている。第４上支持部１４は、第２縁部６２と第４縁部６４とのコーナー（後右部）に設けられている。第５上支持部１５は、第３縁部６３の第１縁部６１寄り（左部前方寄り）の位置に設けられている。第６上支持部１６は、第４縁部６３の第１縁部６１寄り（右部前方寄り）の位置に設けられている。第１上支持部１１〜第６上支持部１６には、夫々孔６ａが形成されている。また、第１上支持部１１、第２上支持部１２、第３上支持部１３、第４上支持部１４には、夫々円弧状の溝１７が形成されている。
【００１３】
図１、図２に示すように、第１プレート６の上面には、バッテリ２０が搭載されている。バッテリ２０の上方及び周囲は、カバー６５により覆われている。
図６に示すように、第２プレート７は、第１プレート６と略同形状に形成されており、上面視において、第１縁部７１、第２縁部７２、第３縁部７３、第４縁部７４を有している。第１縁部７１は、第１縁部６１の下方に位置する。第２縁部７２は、第２縁部６２の下方に位置する。第３縁部７３は、第３縁部６３の下方に位置する。第４縁部７４は、第４縁部６４の下方に位置する。
【００１４】
本実施形態では、第１縁部６１，７１が本体３の第１縁部を構成し、第２縁部６２，７２が本体３の第２縁部を構成し、第３縁部６３，７３が本体３の第３縁部を構成し、第４
縁部６４，７４が本体３の第４縁部を構成している。
第２プレート７は、アーム４の基端部を下方から支持する支持部（以下、「下支持部」という）を有している。下支持部の数は、上支持部の数と同数であり、本実施形態の場合、６つの下支持部（第１下支持部２１〜第６下支持部２６）が設けられている。
【００１５】
第１下支持部２１は、第１縁部７１と第３縁部７３とのコーナー（前左部）に設けられている。第２下支持部２２は、第１縁部７１と第４縁部７４とのコーナー（前右部）に設けられている。第３下支持部２３は、第２縁部７２と第３縁部７３とのコーナー（後左部）に設けられている。第４下支持部２４は、第２縁部７２と第４縁部７４とのコーナー（後右部）に設けられている。第５下支持部２５は、第３縁部７３の第１縁部７１寄り（左部前方寄り）の位置に設けられている。第６下支持部２６は、第４縁部７４の第１縁部７１寄り（右部前方寄り）の位置に設けられている。第１下支持部２１〜第６下支持部２６には、夫々孔７ａが形成されている。第１下支持部２１、第２下支持部２２、第３下支持部２３、第４下支持部２４には、夫々円弧状の溝２７が形成されている。
【００１６】
図３〜図６に示すように、接続部８は、第１プレート６と第２プレート７とを接続している。本実施形態では、接続部８は、４つの接続板８Ａ，８Ｂ，８Ｃ，８Ｄから構成されている。４つの接続板８Ａ，８Ｂ，８Ｃ，８Ｄは、上面視において矩形枠状に配置されている。具体的には、図６に示すように、接続板８Ａは、第１縁部６１，７１側（前側）に配置されている。接続板８Ｂは、第２縁部６２，７２側（後側）に配置されている。接続板８Ｃは、第３縁部６３，７３側（左側）に配置されている。接続板８Ｄは、第４縁部６４，７４側（右側）に配置されている。４つの接続板８Ａ，８Ｂ，８Ｃ，８Ｄは、上端部が第１プレート６に接続され、下端部が第２プレート７に接続されている。これにより、第１プレート６と第２プレート７が上下方向に間隔をあけて接続されている。尚、第１プレート６と第２プレート７は、後述する支持部材８０によっても接続されている。
【００１７】
図３〜図６に示すように、第１連結部９は、本体３の下部（後述するフレーム３１側）に設けられている。具体的には、第１連結部９は、第２プレート７の下面から下方に向けて（フレーム３１に向けて）突出している。第１連結部９の数は限定されないが、本実施形態の場合、第１連結部９は４つ設けられている。以下、４つの第１連結部９について区別する場合、便宜上、第１連結部９Ａ、第１連結部９Ｂ、第１連結部９Ｃ、第１連結部９Ｄと記載する。
【００１８】
第１連結部９Ａは、第１下支持部２１の近傍に設けられている。第１連結部９Ｂは、第３下支持部２３の近傍に設けられている。第１連結部９Ｃは、第２下支持部２２の近傍に設けられている。第１連結部９Ｄは、第４下支持部２４の近傍に設けられている。
各第１連結部９は、第１縁部７１側（前側）から第２縁部７２側（後側）に向けて貫通する円形穴９ａを有している。第１連結部９Ａと第１連結部９Ｂに設けられた円形穴９ａは、中心軸が同一直線上に位置している。第１連結部９Ｃと第１連結部９Ｄに設けられた円形穴９ａは、中心軸が同一直線上に位置している。円形穴９ａには後述する連結部材４７が挿通される。
【００１９】
図１、図６に示すように、本体３は切欠部３ａ，３ｂを有している。具体的には、第１プレート６には切欠部３ａが設けられており、第２プレート７には切欠部３ｂが設けられている。切欠部３ａは、第１プレート６の第１縁部６１の中央部を第２縁部６２に向けて円弧状に切り欠いて形成されている。切欠部３ｂは、第２プレート７の第１縁部７１の中央部を第２縁部７２に向けて円弧状に切り欠いて形成されている。切欠部３ａと切欠部３ｂは、上下方向に重なる位置に設けられている。切欠部３ａと切欠部３ｂは、後述するタンク３２が本体３に装着された状態において、タンク３２を構成する容器３３の供給口３５を露出させる。
【００２０】
図３、図５、図６に示すように、本体３には、上述の上支持部と下支持部との間でアーム４の基端部を支持する支持部材８０が取り付けられている。本実施形態では、支持部材８０は、第１支持部材８０Ａ、第２支持部材８０Ｂ、第３支持部材８０Ｃ、第４支持部材８０Ｄ、第５支持部材８０Ｅ、第６支持部材８０Ｅを含む。
各支持部材８０は、挿入部８０ａと取付部８０ｂとを有している。挿入部８０ａは、円
筒状に形成されており、アーム４の基端部が挿入される。取付部８０ｂは、第１プレート６の上支持部と第２プレート７の下支持部との間に取り付けられる。具体的には、第１支持部材８０Ａは、第１上支持部１１と第１下支持部２１との間に取り付けられる。第２支持部材８０Ｂは、第２上支持部１２と第２下支持部２２との間に取り付けられる。第３支持部材８０Ｃは、第３上支持部１３と第３下支持部２３との間に取り付けられる。第４支持部材８０Ｄは、第４上支持部１４と第４下支持部２４との間に取り付けられる。第５支持部材８０Ｅは、第５上支持部１５と第５下支持部２５との間に取り付けられる。第６支持部材８０Ｆは、第６上支持部１６と第６下支持部２６との間に取り付けられる。
【００２１】
取付部８０ｂには、当該取付部８０ｂを上下方向に貫く貫通孔（図示せず）が設けられている。当該貫通孔と、第１プレート６の孔６ａと、第２プレート７の孔７ａとを貫くようにボルト（図示せず）を挿通して、当該ボルトにナットを締結することにより、取付部８０ｂが第１プレート６の上支持部と第２プレート７の下支持部との間に取り付けられる。また、これにより、第１プレート６と第２プレート７とが支持部材８０を介して連結される。
【００２２】
図１〜図３に示すように、本体３には、複数本のアーム４が取り付けられている。本実施形態では、６本のアーム４が本体３に取り付けられている。以下、便宜上、６本のアーム４について、夫々第１アーム４１、第２アーム４２、第３アーム４３、第４アーム４４、第５アーム４５、第６アーム４６と称する。
アーム４の基端部は、第１プレート６と第２プレート７との間において支持部材８０により支持されている。具体的には、第１アーム４１の基端部は、第１支持部材８０Ａに支持されている。第２アーム４２の基端部は、第２支持部材８０Ｂに支持されている。第３アーム４３の基端部は、第３支持部材８０Ｃに支持されている。第４アーム４４の基端部は、第４支持部材８０Ｄに支持されている。第５アーム４５の基端部は、第５支持部材８０Ｅに支持されている。第６アーム４６の基端部は、第６支持部材８０Ｆに支持されている。
【００２３】
図６に示すように、６本のアームのうち、第１アーム４１、第２アーム４２、第３アーム４３、第４アーム４４の基端部を支持する支持部材８０には、夫々ピン４８が取り付けられている。ピン４８は、上端部が上支持部の溝１７に嵌まり、下端部が下支持部の溝１８に嵌まっている。ピン４８は、溝１７及び溝１８の湾曲に沿って移動可能とされている。ピン４８を溝１７，１８の湾曲に沿って移動することによって、第１アーム４１、第２アーム４２、第３アーム４３、第４アーム４４は、孔６ａ，７ａを中心（支点）として移動（回動）する（図２の矢印Ｃ参照）。この移動により、６本のアームの位置関係を変更することが可能である。具体的には、６本のアームは、本体３から互いに異なる方向に放射状に延びる第１位置と、本体３から離れる一方向である第１方向（左方向）及び当該第１方向と反対方向である第２方向（右方向）とに延びる第２位置に変更可能である。第１位置において、第１アーム４１〜第６アーム４６は、図２の実線位置にある。第２位置において、第１アーム４１〜第４アーム４４は、図２の仮想線（二点鎖線）位置にあり、第５アーム４５と第６アーム４６は実線位置にある。
【００２４】
尚、図示しないが、ピン４８の上部には、支持部材８０を上支持部と下支持部との間で締め付けてアームの位置を固定するための締め付け具が設けられる。また、ピン４８の下部には、溝１７，１８からの抜けを防ぐ抜け止め部が設けられる。
図１に示すように、複数のアーム４には、夫々ロータ５が取り付けられている。各ロータ５は、第１アーム４１〜第６アーム４６の夫々の先端部に取り付けられている。ロータ５は、電動モータ（ＤＣモータ等）から構成されている。ロータ５は、バッテリ２０から供給される電力により駆動される。ロータ５の回転軸の上部には、ブレード（プロペラ）３０が取り付けられている。ロータ５及びブレード３０は、マルチコプター１が飛行するための揚力を発生させる回転翼を構成している。隣り合うロータ５は、互いに逆方向に回転する。ロータ５の数は、アーム４の本数と同じである。本実施形態では、アーム４の本数が６本であるため、６つのロータ５が設けられている。但し、ロータ５の数は、６つに限定はされず、必要な揚力等に応じて変更することができる。例えば、マルチコプター１
は、３つのロータ５を有するトリコプターであってもよいし、４つのロータ５を有するクアッドコプターであってもよいし、６つのロータ５を有するヘキサコプターであってもよいし、８つのロータを有するオクトコプターであってもよい。ロータ５の数を変更した場合、ロータ５の数に応じてアーム４の本数も変更される。
【００２５】
また、図示していないが、本体３には、機体２の飛行動作を制御するための機器として、ＧＰＳアンテナ、姿勢制御装置、各種センサ（ジャイロセンサ、加速度センサ等）等が搭載されている。
次に、作業装置１０について説明する。
作業装置１０は、農業に関する作業を行う装置である。作業装置１０としては、例えば、農場に農薬や肥料を散布する散布装置、農場を撮影する撮像装置（カメラ）、農場の温度を検知する温度センサ（赤外線センサ等）、農場の色（農作物の色）を検知する色センサ等のセンサ装置等が例示できる。本実施形態の場合、作業装置１０は散布装置である。
【００２６】
図１、図３、図５に示すように、作業装置１０は、フレーム３１と作業具３２とを有している。作業装置１０が散布装置である本実施形態の場合、作業具３２はタンクである。また、作業装置１０は、後述するポンプ６０及びノズル７０も有している。
先ず、作業装置１０のフレーム３１について説明する。
フレーム３１は、本体３の下部に着脱可能に装着されている。フレーム３１には、作業具３２が着脱可能に装着されている。
【００２７】
図４、図５、図７、図８等に示すように、フレーム３１は、基板２７と、第２連結部２８と、装着部２９とを有している。
図７、図８に示すように、基板２７は、上面視において、略矩形状の平板の一部を切り欠いた形状であって、４つの辺（第１辺２７１、第２辺２７２、第３辺２７３、第４辺２７４）を有している。第１辺２７１は、第１縁部６１側（前側）に位置している。第２辺２７２は、第２縁部６２側（後側）に位置している。第３辺２７３は、第３縁部６３側（左側）に位置している。第４辺２７４は、第４縁部６４側（右側）に位置している。
【００２８】
基板２７は、切欠部２７ａ及び開口部２７ｂを有している。切欠部２７ａは、第１辺２７１に設けられている。具体的には、切欠部２７ａは、第１辺２７１の中央部を第２辺２７２側（後側）に向けて円弧状に切り欠いて形成されている。切欠部２７ａは、後述する容器３３の供給口３５を露出させるために設けられている。開口部２７ｂは、略矩形状であって、基板２７の後部（第２辺２７２側）に設けられている。図１８に示すように、開口部２７ｂの内側には、取付具１００を介してポンプ６０が取り付けられる。これにより、ポンプ６０は、フレーム３１の後部側（第２縁部６２側）に取り付けられる。ポンプ６０は、バッテリ２０からの電力供給によって駆動する。
【００２９】
取付具１００は、支持板１０１と、縦部材１０２Ｌ，１０２Ｒとから構成されている。支持板１０１は、基板２７と平行に配置され、開口部２７ｂの下方且つ後述するガイド部材９１Ｌ，９１Ｒよりも上方に設けられている。支持板１０１は、上面視にて長方形の平板であって、基板２７の第３辺２７３側（左側）から第４辺２７４側（右側）に向けて延びている。縦部材１０２Ｌ，１０２Ｒは、支持板１０１と基板２７とを連結している。具体的には、縦部材１０２Ｌは、支持板１０１の一端側（左端側）と、開口部２７ｂの一方縁（左縁）の近傍とを連結している。縦部材１０２Ｒは、支持板１０１の他端側（右端側）と、開口部２７ｂの他方縁（右縁）の近傍とを連結している。本実施形態では、縦部材１０２Ｌ，１０２Ｒは、夫々２本のボルトから構成されている。
【００３０】
ポンプ６０は、縦部材１０２Ｌと縦部材１０２Ｒの間であって且つ支持板１０１の上方に設置されて固定されている。ポンプ６０は、上部が開口部２７ｂ内に位置し、その他の部分は基板２７の下方に位置している。これにより、ポンプ６０を、基板２７の下方に大きく突出させることなく配置することができ、フレーム３１をコンパクトに構成することが可能となる。また、ポンプ６０の上方には、本体３の第２プレート７が位置する。これにより、ポンプ６０は、第２プレート７、支持板１０１、縦部材１０２Ｌ，１０２Ｒにより囲まれるため、ポンプ６０に異物が衝突したり、塵埃等が付着したりすることが防止できる。
【００３１】
第２連結部２８は、フレーム３１の上部（本体３側）に設けられている。第２連結部２８は、基板２７の上面から上方に向けて（本体３に向けて）突出している。第２連結部２８の数は限定されないが、第１連結部９と同数設けられる。本実施形態の場合、第１連結部９が４つ設けられているため、第２連結部２８も４つ設けられている。以下、４つの第２連結部２８について区別する場合、便宜上、第２連結部２８Ａ、第２連結部２８Ｂ、第２連結部２８Ｃ、第２連結部２８Ｄと記載する。
【００３２】
フレーム３１を本体３に装着した状態において、第２連結部２８Ａは、第１連結部９Ａの前方近傍に位置する。第２連結部２８Ｂは、第１連結部９Ｂの前方近傍に位置する。第２連結部２８Ｃは、第１連結部９Ｃの前方近傍に位置する。第２連結部２８Ｄは、第１連結部９Ｄの前方近傍に位置する。
第２連結部２８は、第１縁部７１側（前側）から第２縁部７２側（後側）に向けて貫通する円形穴２８ａを有している。第２連結部２８Ａ及び第２連結部２８Ｂに設けられた円形穴２８ａは、中心軸が同一直線上に位置している。第２連結部２８Ｃ及び第２連結部２８Ｄに設けられた円形穴２８ａは、中心軸が同一直線上に位置している。
【００３３】
第１連結部９の円形穴９ａと、第２連結部２８の円形穴２８ａには、連結部材４７が挿通される。連結部材４７は、２本の円筒状のパイプから構成されている。一方の連結部材４７は、第１連結部９Ａ，９Ｂの円形穴９ａと第２連結部２８Ａ，２８Ｂの円形穴２８ａに挿通される。他方の連結部材４７は、第１連結部９Ｃ，９Ｄの円形穴９ａと第２連結部２８Ｃ，２８Ｄの円形穴２８ａに挿通される。
【００３４】
これにより、第１連結部９と第２連結部２８とが連結される。その結果、本体３に対してフレーム３１が装着される。連結部材４７は、ねじやピン等の着脱可能な固定手段により、第１連結部９と第２連結部２８に夫々固定されるが、当該固定を解除することによって円形穴９ａ及び円形穴２８ａから引き抜くことができる。連結部材４７を円形穴９ａ，２８ａから引き抜くことによって、第１連結部９と第２連結部２８との連結が解除され、本体３からフレーム３１を取り外すことができる。
【００３５】
上述したように、本体３の下部（フレーム３１側）に設けられた第１連結部９と、フレーム３１の上部（本体３側）に設けられた第２連結部２８とが、着脱可能な連結部材４７により連結されることで、簡易な構成で本体３に対するフレーム３１の着脱を容易に行うことができる。
図５~図８に示すように、装着部２９は、フレーム３１の下部（第２連結部２８と反対側）に設けられている。装着部２９は、取付板９０Ｌ，９０Ｒと、ガイド部材９１Ｌ，９１Ｒと、連結杆９２と、ブラケット９３Ｌ，９３Ｒと、を有している。
【００３６】
取付板９０Ｌは、フレーム３１の左側（第３辺２７３側）に設けられている。取付板９０Ｒは、フレーム３１の右側（第４辺２７４側）に設けられている。取付板９０Ｌ，９０Ｒは、互いに平行に配置され、第１辺２７１側（前側）から第２辺２７２側（後側）に向けて延設されている。取付板９０Ｌ，９０Ｒは、取付溝９０ａと取付穴９０ｂとを有している。
【００３７】
ガイド部材９１Ｌは、取付板９０Ｌの取付溝９０ａに嵌め入れられて、取付板９０Ｌの内面（取付板９０Ｒに対向する面）に固定される。ガイド部材９１Ｒは、取付板９０Ｒの取付溝９０ａに嵌め入れられて、取付板９０Ｒの内面（取付板９０Ｌに対向する面）に固定されている。ガイド部材９１Ｌ，９１Ｒは、互いに平行に配置され、第１辺２７１側（前側）から第２辺２７２側（後側）に向けて延設されている。ガイド部材９１Ｌ，９１Ｒは、夫々上板９１Ｕと下板９１Ｄとを有している。上板９１Ｕと下板９１Ｄとは、上下方向に隙間をあけて配置されている。図４に示すように、この上板９１Ｕと下板９１Ｄとの隙間に、後述する装着体３９の突出部４０が嵌め入れられる。図５及び図８に示すように、上板９１Ｕ及び下板９１Ｄは、夫々、前部に貫通孔９１ａを有し、後部に貫通孔９１ｂを有している。後述するように、貫通孔９１ａ，９１ｂには、装着体３９を装着した状態でピン９４が挿通される。
【００３８】
連結杆９２は、一端側が取付板９０Ｌの取付穴９０ｂに挿入され、他端側が取付板９０Ｒの取付穴９０ｂに挿入される。これにより、連結杆９２は、取付板９０Ｌと取付板９０
Ｒとを連結している。連結杆９２の本数は限定されないが、本実施形態では、連結杆９２は前後方向に間隔をあけて２つ設けられている。図１８に示すように、２つの連結杆９２の間には、ポンプ６０が配置される。
【００３９】
ブラケット９３Ｌは、取付板９０Ｌの外面（取付板９０Ｒと反対側の面）に固定されている。ブラケット９３Ｒは、取付板９０Ｒの外面（取付板９０Ｌと反対側の面）に固定されている。ブラケット９３Ｌには、後述する脚部９５Ｌが取り付けられる。ブラケット９３Ｒには、後述する脚部９５Ｒが取り付けられる。
次に、作業装置１０の作業具３２について説明する。
【００４０】
図１、図３〜図５に示すように、作業具３２は、本体３の下部に装着されている。具体的には、作業具３２は、フレーム３１に対して着脱可能に装着されている。作業具３２は、農業に関する作業に使用される用具である。本実施形態の場合、作業具３２はタンクであるため、以下の説明では「タンク３２」と記して説明する。但し、作業具３２は、タンクには限定されず、作業の種類に応じて変更可能である。
【００４１】
以下、図９〜図１５を主に参照して、タンク３２の構成について説明する。タンク３２は、容器３３と蓋体３４とを有している（図１５参照）。容器３３は、農場に散布される散布物が収容される内部空間を形成している。散布物は、例えば、肥料、水、農薬等である。容器３３は、散布物を内部空間に供給するための供給口３５を有している。供給口３５は、容器３３の上面に形成されており、当該上面から円筒状に突出している。タンク３２を本体３に装着した状態において、供給口３５は、容器３３の前側（第１縁部６１側）に位置する。以下、容器３３に関する方向については、タンク３２を本体３に装着した状態を基準として説明する。
【００４２】
蓋体３４は、供給口３５に対してネジ等により着脱可能に装着される。蓋体３４には、ポンプ６０の吸込口に接続されるホース（図示せず）を挿入することができる。尚、当該ホースは、容器３３の底面に接続してもよい。
タンク３２の材質は、特に限定されないが、金属に比べて軽量であるため合成樹脂から形成することが好ましい。また、透明又は半透明な合成樹脂から形成した場合、散布物の残量を外部から確認することができる点で好ましい。
【００４３】
容器３３は、第２縁部６２側（後側）から第１縁部６１側（前側）に向かう方向（後述するスライド移動方向）の長さ（前後方向長さ）が、第３縁部６３側（左側）から第４縁部６４側（右側）に向かう方向（スライド移動方向と直交する方向）の長さ（幅方向長さ）よりも長く形成されている。
以下、容器３３の内面及び外面について説明する。
【００４４】
先ず、容器３３の内面について説明する。
容器３３の内面は、当該容器３３に収容された散布物を受ける受け面３６を有している。受け面３６は、容器３３に収容された散布物が接する面であり、容器３３の内側の側面及び内側の底面を構成している。本実施形態の場合、これらの側面と底面がなだらかな曲面で連続しているため、側面と底面との間に明確な境界を有さない受け面３６となっているが、側面と底面との間に明確な境界を有する受け面３６であってもよい。
【００４５】
以下、受け面３６について説明するに当たって、容器３３と本体３との位置関係の理解を助けるために、図１２において、第１縁部６１側（前側）を矢印６１０、第２縁部６２側（後側）を矢印６２０、第３縁部６３側（左側）を矢印６３０、第４縁部６４側（右側）を矢印６４０で示す。
図１３に示すように、受け面３６は、第１湾曲部５１と第２湾曲部５２を有している。また、図１１に示すように、受け面３６は、第３湾曲部５３と第４湾曲部５４を有している。第１湾曲部５１は、第１縁部６１側（前側）から第２縁部６２側（後側）に向かうにつれて本体３から離れる方向（下方）に湾曲しながら移行している。第２湾曲部５２は、第２縁部６２側（後側）から第１縁部６１側（前側）に向かうにつれて本体３から離れる方向（下方）に湾曲しながら移行している。第３湾曲部５３は、第３縁部６３側（左側）から第４縁部６４側（右側）に向かうにつれて本体３から離れる方向（下方）に湾曲しながら移行している。第４湾曲部５４は、第４縁部６４側（右側）から第３縁部６３側（左
側）に向かうにつれて本体３から離れる方向（下方）に湾曲しながら移行している。
【００４６】
本実施形態では、第１湾曲部５１と第２湾曲部５２との間、及び、第３湾曲部５３と第４湾曲部５４との間には、水平面を構成する平面部５５が設けられている。但し、第１湾曲部５１と第２湾曲部５２とを連続させ、第３湾曲部５３と第４湾曲部５４とを連続させることにより、平面部５５を設けなくてもよい。つまり、受け面３６は、平面部を有していてもよいし、平面部を有していなくてもよい。受け面３６が平面部を有さないものとする場合、例えば、受け面３６を半球面状に形成することができる。
【００４７】
上述したように、容器３３の受け面３６が第１湾曲部５１と第２湾曲部５２とを有することにより、マルチコプター１の飛行時の姿勢が変化したときに、当該姿勢の変化に応じて、容器３３内の散布物が第１湾曲部５１及び第２湾曲部５２に沿って円滑に移動するため、散布物が容器３３内の前部や後部に偏ることが防がれる。そのため、マルチコプター１の姿勢が変化しても重量バランスが良好に維持され、安定した飛行が可能となる。また、受け面３６が第３湾曲部５３と第４湾曲部５４とを有することにより、マルチコプター１の飛行時の姿勢が変化したときに、当該姿勢の変化に応じて、容器３３内の散布物が第３湾曲部５３及び第４湾曲部５４に沿って円滑に移動するため、散布物が容器３３内の左部や右部に偏ることが防がれる。そのため、マルチコプター１の姿勢が変化しても重量バランスが良好に維持され、安定した飛行が可能となる。
【００４８】
図１４に示すように、受け面３６は、第１移行部５６と、第２移行部５７と、第３移行部５８と、第４移行部５９とを有している。第１移行部５６は、上面視において、第１縁部６１側（前側）から第３縁部６３側（左側）に湾曲しながら移行している。第２移行部５７は、上面視において、第１縁部６１側（前側）から第４縁部６４側（右側）に湾曲しながら移行している。第３移行部５８は、上面視において、第２縁部６２側（後側）から第３縁部６３側（左側）に湾曲しながら移行している。第４移行部５９は、上面視において、第２縁部６２側（後側）から第４縁部６４側（右側）に湾曲しながら移行している。第１移行部５６と第２移行部５７は、容器３３の中心Ｏに近づくにつれて互いに離間している。第３移行部５８と第４移行部５９は、容器３３の中心Ｏに近づくにつれて互いに離間している。
【００４９】
第１移行部５６と第２移行部５７との間には、上面視において直線状に延びる第１中間部８１が設けられている。第３移行部５８と第４移行部５９との間には、上面視において直線状に延びる第２中間部８２が設けられている。第１中間部８１と第２中間部８２は、上面視において、互いに平行であって、第３縁部６１側（左側）から第４縁部６２側（右側）に向けて延びている。第１移行部５６と第３移行部５８との間には、湾曲する第３中間部８３が設けられている。第２移行部５７と第４移行部５９との間には、湾曲する第４中間部８４が設けられている。第３中間部８３と第４中間部８４とは、容器３３の中心Ｏを挟んで互いに離れる方向に緩やかに膨出している。尚、第１中間部８１及び第２中間部８２を湾曲状に形成してもよいし、第３中間部８１及び第４中間部８４を直線状に形成してもよい。
【００５０】
上述したように、容器３３の受け面３６が第１移行部５６、第２移行部５７、第３移行部５８、第４移行部５９を有することにより、マルチコプター１の飛行時の姿勢が変化したときに、当該姿勢の変化に応じて、容器３３内の散布物が各移行部（第１移行部５６〜第４移行部５９）に沿って円滑に移動するため、散布物が容器３３内で偏ることが防がれる。そのため、マルチコプター１の姿勢が変化しても重量バランスが良好に維持され、安定した飛行が可能となる。
【００５１】
次に、容器３３の外面（受け面３６の外側の面）について説明する。
本実施形態では、容器３３の外面１３６は、受け面（内面）３６と対応する形状（受け面３６の外側において当該受け面３６に沿う形状）となっている。つまり、外面１３６は、受け面３６と同様に、湾曲部、移行部、平面部、中間部を有している。以下、外面１３６の湾曲部を「外側湾曲部」、外面１３６の移行部を「外側移行部」、外面１３６の移行部を「外側移行部」、外面１３６の平面部を「外側平面部」と称する。外面１３６の中間部を「外側中間部」と称する。
【００５２】
図５に示すように、外面１３６は、第１外側湾曲部１５１と第２外側湾曲部１５２を有している。また、図４、図１０、図１１に示すように、外面１３６は、第３外側湾曲部１５３と第４外側湾曲部１５４を有している。第１外側湾曲部１５１は、第１縁部６１側（前側）から第２縁部６２側（後側）に向かうにつれて本体３から離れる方向（下方）に湾曲しながら移行している。第２外側湾曲部１５２は、第２縁部６２側（後側）から第１縁部６１側（前側）に向かうにつれて本体３から離れる方向（下方）に湾曲しながら移行している。第３外側湾曲部１５３は、第３縁部６３側（左側）から第４縁部６４側（右側）に向かうにつれて本体３から離れる方向（下方）に湾曲しながら移行している。第４外側湾曲部１５４は、第４縁部６４側（右側）から第３縁部６３側（左側）に向かうにつれて本体３から離れる方向（下方）に湾曲しながら移行している。
【００５３】
本実施形態では、第１外側湾曲部１５１と第２外側湾曲部１５２との間、及び、第３外側湾曲部１５３と第４外側湾曲部１５４との間には、水平面を構成する外側平面部１５５が設けられている。但し、第１外側湾曲部１５１と第２外側湾曲部１５２とを連続させ、第３外側湾曲部１５３と第４外側湾曲部１５４とを連続させることにより、外側平面部１５５を設けなくてもよい。つまり、外面１３６は、平面部を有していてもよいし、平面部を有していなくてもよい。外面１３６が平面部を有さないものとする場合、例えば、外面１３６を半球面状に形成することができる。
【００５４】
また、図１２に示すように、外面１３６は、第１外側移行部１５６と、第２外側移行部１５７と、第３外側移行部１５８と、第４外側移行部１５９とを有している。第１外側移行部１５６は、上面視において、第１縁部６１側（前側）から第３縁部６３側（左側）に湾曲しながら移行している。第２外側移行部１５７は、上面視において、第１縁部６１側（前側）から第４縁部６４側（右側）に湾曲しながら移行している。第３外側移行部５８は、上面視において、第２縁部６２側（後側）から第３縁部６３側（左側）に湾曲しながら移行している。第４外側移行部５９は、上面視において、第２縁部６２側（後側）から第４縁部６４側（右側）に湾曲しながら移行している。第１外側移行部１５６と第２外側移行部１５７は、容器３３の中心Ｏに近づくにつれて互いに離間している。第３外側移行部１５８と第４外側移行部１５９は、容器３３の中心Ｏに近づくにつれて互いに離間している。
【００５５】
第１外側移行部１５６と第２外側移行部１５７との間には、上面視において直線状に延びる第１外側中間部１８１が設けられている。第３外側移行部１５８と第４外側移行部１５９との間には、上面視において直線状に延びる第２外側中間部１８２が設けられている。第１外側中間部１８１と第２外側中間部１８２は、上面視において、互いに平行であって、第３縁部６１側（左側）から第４縁部６２側（右側）に向けて延びている。第１外側移行部１５６と第３外側移行部１５８との間には、湾曲する第３外側中間部１８３が設けられている。第２外側移行部１５７と第４外側移行部１５９との間には、湾曲する第４外側中間部１８４が設けられている。第３外側中間部１８３と第４外側中間部１８４とは、容器３３の中心Ｏを挟んで互いに離れる方向に緩やかに膨出している。尚、第１外側中間部１８１及び第２外側中間部１８２を湾曲状に形成してもよいし、第３外側中間部８１及び第４外側中間部１８４を直線状に形成してもよい。
【００５６】
上述したように、容器３３の外面１３６が第１外側移行部１５６と第２外側移行部１５７とを有することにより、マルチコプター１が飛行する際に容器３３に当たる空気を、第１外側移行部１５６、第２外側移行部１５７、第３外側移行部１５８、第４外側移行部１５９に沿って逃がすことができる。これにより、容器３３が受ける空気抵抗を低減することができるため、マルチコプター１が飛行時に強風を受けても安定して飛行することが可能となる。
【００５７】
尚、上記実施形態においては、容器３３の外面１３６が受け面（内面）３６に対応する形状となっているが、外面１３６は受け面（内面）３６に対応する形状となっていなくてもよい。つまり、容器３３は、上述した湾曲部や移行部を内面と外面の両方に有していてもよいし、内面（受け面）のみに有していてもよい。
図１０〜図１２、図１４等に示すように、容器３３は、受け面３６の外側（外面１３６
）に凹部３７を有している。凹部３７の数は限定されないが、本実施形態では、凹部３７は、受け面３６の４箇所に、上下方向に延びる溝状に形成されている。以下、便宜上、４箇所の凹部３７を、夫々第１凹部３７１、第２凹部３７２、第３凹部３７３、第４凹部３７４と称する。第１凹部３７１は、第１移行部５６と第３中間部８３との間に設けられている。第２凹部３７２は、第２移行部５７と第４中間部８４との間に設けられている。第３凹部３７３は、第３移行部５８と第３中間部８３との間に設けられている。第４凹部３７４は、第４移行部５９と第４中間部８４との間に設けられている。
【００５８】
凹部３７（第１凹部３７１、第２凹部３７２、第３凹部３７３、第４凹部３７４）は、後述するタンク３２のスライド移動の際に、手指を引っ掛けることができる手掛かりとなり、スライド移動を容易化する。
図１０〜図１２、図１５に示すように、凹部３７には、装着体３９を保持する保持部３８が設けられている。保持部３８は、凹部３７の上端に設けられた板状部分であり、当該板状部分の上面は容器３３の上面と連続している。保持部３８には、貫通孔３８ａが形成されている。本実施形態では、保持部３８が４つの凹部（第１凹部３７１、第２凹部３７２、第３凹部３７３、第４凹部３７４）に夫々設けられており、各保持部３８に夫々貫通孔３８ａが形成されている。尚、保持部３８の位置は、凹部３７の上端に限定されず、例えば、凹部３７の上下方向の中途部に設けてもよい。
【００５９】
図９〜図１１、図１５等に示すように、装着体３９は、平板状であって、容器３３の上部に保持されている。本実施形態では、装着体３９の外形は、上面視において略矩形状であって、４つの辺（第１辺３９１、第２辺３９２、第３辺３９３、第４辺３９４）を有している。第１辺３９１は、第１縁部６１側（前側）に位置する。第２辺３９２は、第２縁部６２側（後側）に位置する。第３辺３９３は、第３縁部６３側（左側）に位置する。第４辺３９４は、第４縁部６４側（右側）に位置する。
【００６０】
装着体３９の第１辺３９１から第２辺３９２に向かう方向の長さ（前後方向長さ）は、容器３３の前後方向長さよりも短い。第３辺３９３から第４辺３９４に向かう方向の長さ（幅方向長さ）は、容器３３の幅方向長さよりも長い。そのため、図１０、図１１、図１６に示すように、装着体３９の幅方向の両端部は、容器３３の幅方向の両端部よりも幅方向外方に突出する。以下、この突出する部分を「突出部４０」という。突出部４０は、装着体３９をフレーム３１に設けられた装着部２９に対して装着したときに、ガイド部材９１Ｌ，９１Ｒに支持される部分である。
【００６１】
また、装着体３９の前後方向の長さは、ガイド部材９１Ｌ，９１Ｒの長さよりも僅かに短く、貫通孔９１ａと貫通孔９１ｂとの間の距離と略等しい。
装着体３９をフレーム３１の装着部２９に対して装着する場合、予めガイド部材９１Ｌ，９１Ｒの貫通孔９１ｂにピン９４を挿通しておく。そして、図４、図５、図１５〜図１７に示すように、装着体３９の突出部４０を、ガイド部材９１Ｌ，９１Ｒの上板９１Ｕと下板９１Ｄの隙間に嵌め入れて、装着体３９の突出部４０がピン９４に当接するまで、ガイド部材９１Ｌ，９１Ｒに沿って後方（第２縁部６２側）にスライド移動させる。その後、ガイド部材９１Ｌ，９１Ｒの貫通孔９１ａにピン９４を挿通することにより、タンク（作業具）３２がフレーム３１の装着部２９に装着される。図５、図１６に示すように、この状態（装着状態という）では、装着体３９が前後からピン９４に挟まれるため、タンク（作業具）３２が装着部２９から離脱することが防止される。また、図１、図２に示すように、装着状態では、上面視において、タンク３２の供給口３５は、本体３の切欠部３ａ，３ｂと重なる位置にあり、切欠部３ａ，３ｂから露出する。これにより、装着状態においても、供給口３５からタンク３２内に散布物を供給することができる。
【００６２】
タンク３２を、装着部２９から離脱させるときには、ピン９４を貫通孔９１ａ，９１ｂから抜いた後、タンク３２をガイド部材９１Ｌ，９１Ｒに沿って前方（第１縁部６１側）にスライド移動させる（図２及び図５の仮想線、図１６及び図１７参照）。これにより、タンク３２を装着部２９から離脱させて取り外すことができる。
タンク３２を、装着部２９から取り外すことにより、供給口３５からタンク３２内への散布物の供給を容易に行うことができる。また、タンク３２内の洗浄も容易に行うことが
できる。また、タンク３２の供給口３５は、容器３３のスライド移動方向の端部側（第１縁部６１側）に設けられているため、タンク３２を完全に取り外さずともスライド移動方向にずらすことで、タンク３２内への散布物の供給を容易に行うことが可能となる。尚、「スライド移動方向」とは、タンク３２が装着状態において移動可能な方向、言い換えれば、タンク３２を離脱させるときの移動方向（図２、図５、図１６の矢印Ａ方向）を指す。
【００６３】
タンク（作業具）３２のスライド移動方向は、上述した第１方向（左方向）及び第２方向（右方向）に直交する方向である。つまり、タンク（作業具）３２のスライド移動方向は、アーム４が第２位置にあるときに延びる方向と直交する方向である。これにより、アーム４を第２位置とした状態において、スライド移動方向に広い空間が形成される。そのため、タンク３２の着脱を容易に行うことが可能となる。
【００６４】
また、ポンプ６０が後部側（スライド移動方向と反対方向の端部側）においてフレーム３１に取り付けられているため、タンク３２のスライド移動の際に、ポンプ６０に接続されるホースが邪魔になりにくい。
上述したように、本体３のフレーム３１が、タンク（作業具）３２がスライド移動可能に着脱される装着部２９を有していることから、タンク３２をスライド移動させることでフレーム３１に対して容易に着脱することができる。
【００６５】
また、容器３３の第１凹部３７１及び第２凹部３７２は、スライド移動方向の前側に位置し、第３凹部３７３及び第４凹部３７４はスライド移動方向の後側に位置している。そのため、容器３３をスライド移動させる際に、最初は第１凹部３７１及び第２凹部３７２に手指を引っ掛けて移動させ、途中から第３凹部３７３及び第４凹部３７４に手指を引っ掛けて移動させることで、容器３３を容易且つ円滑に引き出すことができる。
【００６６】
図９〜図１１、図１５に示すように、装着体３９は、第１貫通孔３９ａ、第２貫通孔３９ｂ及び切欠部３９ｃを有している。第１貫通孔３９ａは、貫通孔３８ａと上下方向に重なる位置に設けられている。具体的には、第１貫通孔３９ａは、第１辺３９１と第３辺３９３とのコーナーの近傍、第１辺３９１と第４辺３９４とのコーナーの近傍、第２辺３９２と第３辺３９３とのコーナーの近傍、第２辺３９２と第４辺３９４とのコーナーの近傍に夫々設けられている。図１０、図１１に示すように、ボルト８５を第１貫通孔３９ａ及び貫通孔３８ａに挿通し、ナット８６をボルト８５に締結することにより、装着体３９が容器３３の上面に当接した状態で保持される。ここで、保持部３８が凹部３７に設けられていることにより、ボルト８５及びナット８６が、容器３３の外側に突出することがなく、マルチコプター１が飛行した時の空気抵抗を低減することができ、外観的にも優れている。
【００６７】
第２貫通孔３９ｂは、２つ設けられている。一方の第２貫通孔３９ｂは、第１辺３９１と第３辺３９３とのコーナーの近傍であって、第１貫通孔３９ａよりも第３辺３９３に近い位置に設けられている。他方の第２貫通孔３９ｂは、第１辺３９１と第４辺３９４とのコーナーの近傍であって、第１貫通孔３９ａよも第４辺３９４に近い位置に設けられている。２つの第２貫通孔３９ｂは、凹部３７の上方に位置している。第２貫通孔３９ｂは、タンク３２のスライド移動の際に、手指を引っ掛けることができる手掛かりとなり、スライド移動を容易化する。
【００６８】
切欠部３９ｃは、第１辺３９１に設けられている。具体的には、切欠部３９ｃは、第１辺３９１の中央部を第２辺３９２側に向けて円弧状に切り欠いて形成されている。切欠部３９ｃは、容器３３の供給口３５と装着体３９との干渉を回避するために設けられている。供給口３５は、装着体３９により塞がれることなく、切欠部３９ｃから露出して開口する。
【００６９】
尚、上記実施形態では、装着部２９に装着される突出部４０を、容器３３と別体の装着体３９に設けているが、突出部４０を容器３３と一体に設けてもよい。この場合、例えば、突出部４０は容器３３と一体成形することができる。突出部４０を容器３３と一体に設けた場合、容器３３を直接装着部２９に装着することが可能となるため、装着体３９が不要になるという利点がある。
【００７０】
上述した実施形態のマルチコプター１は、フレーム３１が本体３に対して着脱可能に装着されることから、作業の内容に応じて作業装置１０を交換することができる。加えて、作業具３２がフレーム３１に対して着脱可能に装着されることから、作業の内容に応じて作業装置１０の作業具３２を交換することもできる。そのため、本体３に対して様々な作業装置１０及び作業具３２を装着することが可能となり、適用可能な作業の範囲を拡げることができる。
【００７１】
図１〜図３に示すように、フレーム３１には、脚部（スキッド）９５Ｌ，９５Ｒが設けられている。詳しくは、ブラケット９３Ｌに脚部９５Ｌが取り付けられており、ブラケット９３Ｒに脚部９５Ｒが取り付けられている。脚部９５Ｌ，９５Ｒは、ブラケット９３Ｌ，９３Ｒから斜め下方に向けて互いに離間するように延びている。脚部９５Ｌ，９５Ｒは、マルチコプター１が着地したときに接地してフレーム３１を下方から支持する。脚部９５Ｌ，９５Ｒは、フレーム３１と共に、フレーム３１が装着された本体３と、フレーム３１に装着された作業具（タンク）３２も支持する。
【００７２】
マルチコプター１が着地した状態（脚部９５Ｌ，９５Ｒが接地した状態）において、タンク３２のスライド移動方向は、地面と平行となる。そのため、タンク３２の着脱の際に、タンク３２が傾くことがなく、着脱を容易に行うことができる。
タンク３２は、脚部９５Ｌと脚部９５Ｒの間に配置されている。タンク３２の容器３３の受け面３６の最下部は、脚部９５Ｌ，９５Ｒの下端部よりも上方に位置している。また、脚部９５Ｌ，９５Ｒの下端部から受け面３６の最下部までの高さＨ１は、当該最下部から装着板３９までの垂直距離Ｈ２よりも大きい。これにより、マルチコプター１が着地した状態において、容器３３と地面との間に広い空間が形成されるため、タンク３２の着脱を容易に行うことができる。
【００７３】
図１６に示すように、タンク３２を本体３に装着した状態において、タンク３２の幅方向の中心Ｃ１と、本体３の幅方向の中心Ｃ２とは、上面視において重なっている。また、タンク３２の前後方向の中心Ｃ３は、上面視において本体３と重なっている。これにより、タンク３２を本体３に装着した状態において、マルチコプター１の重量バランスが良くなり、安定した飛行を行うことが可能となる。
【００７４】
脚部９５Ｌ，９５Ｒには、ノズル７０を支持する支持杆７５Ｌ，７５Ｒが取り付けられている。具体的には、脚部９７Ｌ，９７Ｒの長さ方向（高さ方向）の中途部にブラケット７６が固定されており、当該ブラケット７６に支持杆７５Ｌ，７５Ｒの基端部が取り付けられている。ブラケット７６は、前後方向に対向する一対の板部を有しており、当該板部には上方に向けて凸となる円弧状の溝７６ａ（図３参照）が形成されている。支持杆７５Ｌ，７５Ｒの基端部には水平方向に延びるピン７７が取り付けられており、当該ピン７７の端部は溝７６ａに挿入されている。ピン７７を溝７６ａに沿って移動させることにより、支持杆７５Ｌ，７５Ｒを揺動させることが可能である。具体的には、図３に矢印Ｂで示すように、支持杆７５Ｌは、脚部９５Ｌに対して上方及び下方に揺動可能である。支持杆７５Ｒは、脚部９５Ｒに対して上方及び下方に揺動可能である。ピン７７の端部には、支持杆７５Ｌ，７５Ｒの基端部を前記一対の板部の間で締め付けて、支持杆７５Ｌ，７５Ｒの位置（脚部９５Ｌ，９５Ｒに対する角度）を固定するための締め付け具７７ａが設けられている。
【００７５】
図１に示すように、支持杆７５Ｌ，７５Ｒの先端部には支持部材７８が設けられており、当該支持部材７８にノズル７０が支持されている。ノズル７０は、容器３３内の散布物を下方に向けて散布可能に支持されている。ノズル７０は、ポンプ６０の吐出口とホース７９により接続されている。尚、図示例では、ホース７９は支持杆７５Ｌ，７５Ｒに沿って取り付けられているが、支持杆７５Ｌ，７５Ｒを中空のパイプとして、当該パイプ内にホース７９を挿通してもよい。
【００７６】
本実施形態の作業装置１０によれば、ポンプ６０の駆動により、タンク３２内の散布物（肥料、薬液等）を、ホース７９を通してノズル７０へと供給し、ノズル７０から農場に向けて散布することができる。また、ノズル７０が支持杆７５Ｌ，７５Ｒを介して脚部９５Ｌ，９５Ｒに対して上方及び下方に揺動可能であることにより、ノズル７０の位置を変更して散布範囲を調整することができる。
【００７７】
また、本体３に装着する作業装置１０を変更することにより、散布作業以外の異なる作業を行うことができる。例えば、本体３に装着する作業装置１０が撮像装置（カメラ）である場合、上空から農場を撮影することができる。また、本体３に装着する作業装置１０が色センサである場合、上空から農場の色（農作物の色）を検知し、農作物の生育状況等を確認することができる。
【００７８】
以上、本発明について説明したが、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００７９】
１        農業用マルチコプター
３        本体
４        アーム
５        ロータ
９        第１連結部
１０      作業装置
２８      第２連結部
２９      装着部
３１      フレーム
３２      作業具（タンク）
３３      容器
３５      供給口
３７      凹部
４７      連結部材
６０      ポンプ
７０      ノズル
９５Ｌ，９５Ｒ  脚部
【図１】
2018030560.tif 000003
【図２】
2018030560.tif 000004
【図３】
2018030560.tif 000005
【図４】
2018030560.tif 000006
【図５】
2018030560.tif 000007
【図６】
2018030560.tif 000008
【図７】
2018030560.tif 000009
【図８】
2018030560.tif 000010
【図９】
2018030560.tif 000011
【図１０】
2018030560.tif 000012
【図１１】
2018030560.tif 000013
【図１２】
2018030560.tif 000014
【図１３】
2018030560.tif 000015
【図１４】
2018030560.tif 000016
【図１５】
2018030560.tif 000017
【図１６】
2018030560.tif 000018
【図１７】
2018030560.tif 000019
【図１８】
2018030560.tif 000020